(57)【要約】  【課題】  必要に応じてハウス内に仕切り室を容易に形成できるユニットハウスを提供する。  【解決手段】  仕切り室２の、相対する一方の側壁を構成する複数枚一組の、側壁構成板３，３´と、他方の側壁を構成する他の複数枚一組の側壁構成板４，４´を、各組毎に、互いに直角に方向変位できるヒンジ手段１０で折畳み自在に連結する。各組の側壁構成板の一方又は双方の一方端に位置する側壁構成板の一端３，４には、前記仕切り室２の奥壁を成す、しかも、ユニットハウス１の内壁１ａ´に相対して前記仕切り室の前壁を構成する前壁構成板５，６を、ヒンジ手段１０で折畳み自在に連結すると共に、各組の前記側壁構成板の、他方端に位置するものの一端を、前記前壁の横幅と互いに略同幅の間隔を存して前記内壁にヒンジ手段１０´，１０´´でそれぞれ折畳み自在に連結する。【選択図】    図２
2010037842.tif 000002
【特許請求の範囲】
【請求項１】
仕切り室の、相対する一方の側壁を構成する複数枚一組の、側壁構成板と、他方の側壁を構成する他の複数枚一組の側壁構成板を、各組毎に、互いに直角に方向変位できるヒンジ手段で折畳み自在に連結し、各組の側壁構成板の一方又は双方の一方端に位置する側壁構成板の一端には、前記仕切り室の奥壁を成す、ユニットハウスの内壁に相対して前記仕切り室の前壁を構成する前壁構成板を、ヒンジ手段で折畳み自在に連結すると共に、各組の前記側壁構成板の、他方端に位置するものの一端を、前記前壁の横幅と互いに略同幅の間隔を存して前記内壁にヒンジ手段でそれぞれ折畳み自在に連結した、ユニットハウス。
【発明の詳細な説明】
【技術分野】
【０００１】
本発明は、簡易倉庫などに適用しているユニットハウスに関するものである。
【背景技術】
【０００２】
従来のユニットハウスは、仮設の事務所や物置に適用するため壁パネルで取り囲んだ所謂ワンルーム形式のものが一般である（例えば、特許文献１）。
【０００３】
【特許文献１】実用新案登録第３０３９２０３号公報
【発明の開示】
【発明が解決しようとする課題】
【０００４】
ユニットハウスは、地震等の災害時に用いる物品や食料等の備蓄倉庫として用いられているが、従来の、前記ワンルーム形式のものは、ワンルーム形式であるがゆえに、一定空間内で最大限の物品等を備蓄できるが、災害時に物品等を運び出したときは、ワンルームとしての空間が残るだけで、ワンルームとしての利用の仕方以外はなく、殊に、当該空間域が広い場合は無駄にもなる。
【０００５】
本発明は、斯様な従来例の欠点にも対処でき、必要に応じて、ハウス内に仕切り室を容易に形成できるユニットハウスを提供することを目的として創案したものである。
【課題を解決するための手段】
【０００６】
仕切り室の、相対する一方の側壁を構成する複数枚一組の、側壁構成板と、他方の側壁を構成する他の複数枚一組の側壁構成板を、各組毎に、互いに直角に方向変位できるヒンジ手段で折畳み自在に連結し、各組の側壁構成板の一方又は双方の一方端に位置する側壁構成板の一端には、前記仕切り室の奥壁を成す、ユニットハウスの内壁に相対して前記仕切り室の前壁を構成する前壁構成板を、ヒンジ手段で折畳み自在に連結すると共に、各組の前記側壁構成板の、他方端に位置するものの一端を、前記前壁の横幅と互いに略同幅の間隔を存して前記内壁にヒンジ手段でそれぞれ折畳み自在に連結した、構成とするのである。
【０００７】
なお、ヒンジ手段は、実施例のヒンジ手段１０，１０´，１０´´に限定する必要はない。
【発明の効果】
【０００８】
本発明によれば、通常時には、物置或いは災害時の為の物品の備蓄倉庫として適用し、災害時には側壁構成板等を折畳み状態から展開させて仕切り室をハウス内に形成させて、着替室や物品を付加することによってトイレに変換にでき、しかも、折畳んだ状態で内壁にセットしたものであるから、仕切り室への展開も容易にでき、備蓄倉庫等としての物品の収納空間も確保でき実用的である。
【実施例】
【０００９】
図面は本発明に係るユニットハウスの一実施例を示し、図１は屋根板等の上材を取り外して示した略示平面図、図２は図１の一部拡大図、図３は一部を省略して示した図２の断面図、図４は仕切り室の正面図である。
【００１０】
図中、１は、天井や屋根を省略して示したユニットハウスで、実施例のユニットハウス１（２つの仕切り室を形成できるようにしてある）は、該ハウス１を構成する後壁材１ａの内壁１ａ´に、仕切り室２を構成する側壁構成板３，３´、４，４´、第１、第２の前壁構成板５，６および上、下の支持枠７，８を備え、必要に際し、折畳み状態にある各板３，３´、４，４´、５、６を展開させてハウス１内に１又は２つの前記仕切り室２を装置できるようにしたものである。
【００１１】
前記上側支持枠７は、断面Ｌ形の杆体で成る前杆７ａ（ただし、断面Ｌ形の一片側を一方の前壁構成板６の横幅分欠落７ａ´させてある）の両側に同じく杆体で成る側杆７ｂ，７ｂを相対設して構成して成り、その基部である前記側杆７ｂ，７ｂの基部を、前記内壁１ａ´に所要高さを存して並べて突設した一対の支持杆９，９にヒンジ手段１０によって回動自在に接続したものである。
【００１２】
ヒンジ手段１０は、雌雄部材１０ａ，１０ｂで成り、雌材１０ａを支持杆９側に、雄材１０ｂを上側支持枠７（側杆７ｂ）側にそれぞれ固着して互いに回動自在に組合せ、上側支持枠７を支持杆９に吊下した状態から水平方向にほぼ９０度角度に変位させる（上側支持枠７と支持杆９が互いに直角に方向変位できる）ようにしてある。
【００１３】
すなわち、仕切り室２を形成するときは、このヒンジ手段１０の機能によって上側支持枠７は吊下状態から水平状態に変位し、側壁構成板３，３´、４，４´等の仕切り状態（壁状態）を保持する。
【００１４】
前記下側支持枠８は、仕切り室２の床板と成る主体板８ａの両側に側部片８ｂ，８ｂを相対して立設して構成したもので、前記ユニットハウス１の床材１ｂに、前記雌材１０ａと雄材１０ｂで成るヒンジ手段１０によって主体板８ａ後端部において起伏自在に接続したもので、起立時には、支持杆９の先端に垂下状態にある前記上側支持枠７に前方側で重なり合い、該重なり状態（図３で示す）は図示省略した磁石によって側部片７ｂと側部片８ｂ同士吸着し合って維持するようにしてある。
【００１５】
なお、ヒンジ手段１０は、雌材１０ａ側が床材１ｂに、雄材１０ｂ側が下側支持枠８にそれぞれ固着され、下側支持枠８が前方側に倒伏状態から垂直方向に起立する、ほぼ９０度の角度で下側支持枠８を変位させる。
【００１６】
実施例の仕切り室２は、これら上、下の支持枠７，８を展開させて、上支持枠７の側部片７ｂと下支持枠８の側部片８ｂ（の立面部）の内側に存するようにして、左、右それぞれ前後一対の側壁構成板３，３´、４，４´を前後に並べて上下の支持枠７，８間に配し、左側の前側壁構成板３にヒンジ手段１０によって連結した前記第１前壁構成板５と、右側の前側構成板４にヒンジ手段１０によって連結した前記第２前壁構成板６のそれぞれを、前記上側支持枠７の前杆７ａ側にあってはその内側に、前記下側支持枠８の主体板８ａ側にあってはその先端より内側に存するように配して、形成される。
【００１７】
なお、実施例では、仕切り室２の前壁を、左側の前側壁構成板３に連結した第１前壁構成板５と、右側の前側壁構成板４に連結した第２前壁構成板６で構成してあるが、単一な前壁構成板で構成しても良く、該単一な前壁構成板は、前記左右の前側壁構成板５，６のいずれか一方にヒンジ手段で連結したものであっても良い。
【００１８】
左右の前後の各側壁構成板３，３´、４，４´は、雌部材１０ａと雄部材１０ｂとで成るヒンジ手段１０によって互いに９０度変位するように連結され、前側壁構成板３，４は同様のヒンジ手段１０によって、前記の通り、第１又は第２の前壁構成板５，６を連結し、また、一端（先端）を前側壁構成板３，４にヒンジ手段１０により折畳み自在に連結した後側側壁構成板３´，４´の他端は、前記前壁構成板５，６が構成する仕切り室２の前壁の横幅とほぼ同幅の間隔を存して離開させたヒンジ手段１０´，１０´´を介してユニットハウス１の後壁材１ａの前記内壁１ａ´に取付け、ヒンジ手段１０´，１０´´の構成を変えることにより、前壁構成板５と前後の側壁構成板３，３´で成る、仕切り室２の一方の側の、一組の組立壁材と、前壁構成板６と前後の側壁構成板４，４´で成る、仕切り室２の他方側の、他の一組の組立壁材が部分的に重なり合う折畳み状態を得られるようにしてある。
【００１９】
図中、１０Ａはヒンジ手段１０´，１０´´（ヒンジ手段１０´，１０´´間の離開幅は仕切り室２の前壁幅と略同幅にしてある）に適用したヒンジ材で、ヒンジ材１０Ａは、基片１０Ａ´に雌部１０Ａ´´と該雌部１０Ａ´´より前方に突出する雄部１０Ａ´´´を突設して構成し、ヒンジ材１０Ａは前記ヒンジ手段１０を構成する雄材１０ｂと組合わせてヒンジ手段１０´を構成し、ユニットハウス１の前記内壁１ａ´と一方の後側側壁３´を連結し、また、前記ヒンジ手段１０を構成する雌材１０ａと組合わせてヒンジ手段１０´´を構成し、ユニットハウス１の前記内壁１ａ´と他方の後側側壁構成板４´を連結する。
【００２０】
ヒンジ材１０Ａと雄部１０Ａ´´´を組合わせるか、雌部１０Ａ´´を組合わせるかにより、前記後側側壁構成板３´，４´間において前記内壁１ａ´との近接（離開）距離に差が生じ、ヒンジ材１０Ａの雄部１０Ａ´´´と雌材１０ａを組合わせたヒンジ手段１０´´によって内壁１ａ´に連結した後側側壁構成板４´と内壁１ａ´との間には、雌部１０Ａ´´と雄材１０ｂを組合わせたヒンジ手段１０´によって内壁１ａ´に連結した、他方の後側側壁構成板３´およびこれにヒンジ手段１０によって連結して折り畳んだ前側側壁構成板３の収納間隙ａが形成され、仕切り室２の各壁構成板３，３´、４，４´を折り畳み状態で内壁１ａ´に互いに重ね合わせてハウス１内に収設できるのである。
【００２１】
そして、例えば、備蓄倉庫として適用していた状況下で災害が生じて備蓄品を排出した後、ヒンジ手段１０を利用して上側支持枠７と下側支持枠８を縦方向から横（水平）方向に変位させ、ヒンジ手段１０，１０´，１０´´を利用して各壁構成板３，３´、４，４´を折り畳み状態から展開させて前記上下の支持枠７，８間に配し、前側構成板５，６をハウス内壁１ａ´に相対向する位置に転回させることにより一方の前壁構成板６が扉材として機能する仕切り室２が形成され、該仕切り室２状態は、各部材を磁石によって互いに吸着させることによって安定的に保持される。
【００２２】
なお、ヒンジ手段１０，１０´，１０´´は実施例構造のものに限定する必要はないし、側壁構成板３，３´、４，４´等の各構成板の数、大きさ（幅）の割合も実施例のものに限る必要はない。また、上側支持枠７および下側支持枠８は支持杆９およびヒンジ手段１０，１０´，１０´´を利用せずに独立した別体のものとし、各側壁構成板３，３´、４，４´を展開する前後に該構成板３，３´、４，４´の組付け位置に配するようにしても良い。
【図面の簡単な説明】
【００２３】
【図１】屋根板等の上材を取り外して示した略示平面図。
【図２】図１の一部拡大図。
【図３】一部を省略して示した図２の断面図。
【図４】仕切り室の正面図。
【符号の説明】
【００２４】
１                          ユニットハウス
２                          仕切り室
３，３´、４，４´          側壁構成板
５，６                      前壁構成板
１０，１０´，１０´´      ヒンジ手段
【図１】
2010037842.tif 000003
【図２】
2010037842.tif 000004
【図３】
2010037842.tif 000005
【図４】
2010037842.tif 000006